【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
基地局（ＢＳ）によって２・Ｎ（Ｎは自然数である）個の伝送（Ｔｘ）アンテナを用いてダウンリンク信号を伝送する方法であって、前記方法は、
ユーザ機器（ＵＥ）から第１のプリコーディング行列指示子（ＰＭＩ）及び第２のプリコーディング行列指示子（ＰＭＩ）を受信することと、
あらかじめ保存されたコードブック内において前記第１のＰＭＩ及び前記第２のＰＭＩの組み合わせに基づいてプリコーディング行列を決定することと、
Ｒ（１≦Ｒ≦８）個のレイヤーにマッピングされる前記ダウンリンク信号に、前記決定されたプリコーディング行列を適用することによってプリコーディングを行うことと、
前記プリコーディングされた信号を、前記２・Ｎ個のＴｘアンテナを通じて前記ユーザ機器（ＵＥ）に伝送することと
を含み、
前記あらかじめ保存されたコードブックは、Ｒが偶数の場合に、
【化１】
2013526136.tif 000001
の形態で構成されたプリコーディング行列を含み、ここで、Ｗ１は、Ｎ×（Ｒ／２）の行列であり、ａは、位相の係数である、方法。
【請求項２】
前記Ｗ１は、ＤＦＴ（Ｄｉｓｃｒｅｔｅ  Ｆｏｕｒｉｅｒ  Ｔｒａｎｓｆｏｒｍ）行列である、請求項１に記載の方法。
【請求項３】
Ｒが偶数の場合に、前記Ｗ１は、［ｖ１…ｖ（Ｒ／２）］の行列として構成され、前記ｖ１…ｖ（Ｒ／２）のそれぞれは、Ｎ×１の行列である、請求項１に記載の方法。
【請求項４】
前記ｖ１…ｖ（Ｒ／２）のそれぞれは、ＤＦＴ行列として構成される、請求項３に記載の方法。
【請求項５】
Ｒが４と等しい（Ｒ＝４）場合に、前記Ｗ１は、
【化２】
2013526136.tif 000002
の形態で構成される、請求項４に記載の方法。
【請求項６】
Ｒが３≦Ｒ≦７によって示される場合に、前記Ｒ個のレイヤーのプリコーディング行列は、（Ｒ＋１）個のレイヤーのプリコーディング行列の列サブセットから構成される、請求項１に記載の方法。
【請求項７】
Ｎは、４に設定される（Ｎ＝４）、請求項１に記載の方法。
【請求項８】
ユーザ機器（ＵＥ）によって、２・Ｎ（Ｎは自然数である）個の伝送（Ｔｘ）アンテナを用いてダウンリンク信号を処理する方法であって、前記方法は、
あらかじめ保存されたコードブックから選択されたプリコーディング行列を指示する、第１のプリコーディング行列指示子（ＰＭＩ）及び第２のプリコーディング行列指示子（ＰＭＩ）を基地局（ＢＳ）に伝送することと、
Ｒ（１≦Ｒ≦８）個のレイヤーにマッピングされ、前記第１及び第２のＰＭＩの組み合わせに基づいて決定されたプリコーディング行列によってプリコーディングされて前記２・Ｎ個のＴｘアンテナを通じて伝送される前記ダウンリンク信号を、前記基地局（ＢＳ）から受信することと、
前記プリコーディング行列を用いて前記ダウンリンク信号を処理することと
を含み、
前記あらかじめ保存されたコードブックは、Ｒが偶数の場合に、
【化３】
2013526136.tif 000003
の形態で構成されたプリコーディング行列を含み、ここで、Ｗ１は、Ｎ×（Ｒ／２）の行列であり、ａは、位相の係数である、方法。
【請求項９】
ダウンリンク信号を伝送する基地局（ＢＳ）であって、前記基地局は、
２・Ｎ（Ｎは自然数である）個の伝送（Ｔｘ）アンテナと、
前記２・Ｎ個のＴｘアンテナを通じてユーザ機器（ＵＥ）に前記ダウンリンク信号を伝送する伝送（Ｔｘ）モジュールと、
前記ユーザ機器（ＵＥ）からアップリンク信号を受信する受信（Ｒｘ）モジュールと、
プリコーディング行列を含むコードブックを保存するメモリーと、
前記基地局（ＢＳ）を制御するプロセッサと
を備え、
前記プロセッサは、
前記受信（ｘ）モジュールがユーザ機器（ＵＥ）から第１のプリコーディング行列指示子（ＰＭＩ）及び第２のプリコーディング行列指示子（ＰＭＩ）を受信することを可能にすることと、
前記メモリーに保存されたコードブック内において前記第１のＰＭＩ及び前記第２のＰＭＩの組み合わせに基づいてプリコーディング行列を決定することと、
前記ダウンリンク信号をＲ（１≦Ｒ≦８）個のレイヤーにマッピングすることと、
前記Ｒ個のレイヤーにマッピングされた前記ダウンリンク信号に、前記決定されたプリコーディング行列を適用することによってプリコーディングを行うことと、
前記伝送（Ｔｘ）モジュールが前記プリコーディングされた信号を前記２・Ｎ個のＴｘアンテナを通じて前記ユーザ機器（ＵＥ）に伝送することを可能にすることと
を行い、
前記あらかじめ保存されたコードブックは、Ｒが偶数の場合に、
【化４】
2013526136.tif 000004
の形態で構成されたプリコーディング行列を含み、ここで、Ｗ１は、Ｎ×（Ｒ／２）の行列であり、ａは、位相の係数である、基地局。
【請求項１０】
２・Ｎ（Ｎは自然数である）個の伝送（Ｔｘ）アンテナを含む基地局（ＢＳ）から受信されるダウンリンク信号を処理するユーザ機器（ＵＥ）であって、前記ユーザ機器は、
前記基地局（ＢＳ）から前記ダウンリンク信号を受信する受信（Ｒｘ）モジュールと、
前記基地局（ＢＳ）にアップリンク信号を伝送する伝送（Ｔｘ）モジュールと、
プリコーディング行列を含むコードブックを保存するメモリーと、
前記ユーザ機器（ＵＥ）を制御するプロセッサと
を備え、
前記プロセッサは、
前記伝送（Ｔｘ）モジュールが、前記メモリーにあらかじめ保存されたコードブックから選択されたプリコーディング行列を指示する、第１のプリコーディング行列指示子（ＰＭＩ）及び第２のプリコーディング行列指示子（ＰＭＩ）を基地局（ＢＳ）に伝送することを可能にすることと、
前記受信（Ｒｘ）モジュールが、Ｒ（１≦Ｒ≦８）個のレイヤーにマッピングされ、前記第１及び第２のＰＭＩの組み合わせに基づいて決定されたプリコーディング行列によってプリコーディングされて前記２・Ｎ個のＴｘアンテナを通じて伝送される前記ダウンリンク信号を前記基地局（ＢＳ）から受信することを可能にすることと、
前記プリコーディング行列を用いて前記ダウンリンク信号を処理することと
を行い、
前記あらかじめ保存されたコードブックは、Ｒが偶数の場合に、
【化５】
2013526136.tif 000005
の形態で構成されたプリコーディング行列を含み、ここで、Ｗ１は、Ｎ×（Ｒ／２）の行列であり、ａは、位相の係数である、ユーザ機器。
【手続補正２】
【補正対象書類名】明細書
【補正対象項目名】０３６６
【補正方法】変更
【補正の内容】
【０３６６】
本発明は、本発明の精神及び必須特徴から逸脱することなく、他の特定の形態に具体化できる。そのため、上記の詳細な説明はいずれの面においても制約的に解釈してはならず、例示的なものとして考慮しなければならない。本発明の範囲は、添付した請求項の合理的解釈により定めなければならず、本発明の等価的範囲内における変更はいずれも本発明の範囲に含まれる。本発明は、ここに開示されている実施形態に制限されるものではなく、ここに開示されている原理及び新規な特徴と一致する最も広い範囲を有するものである。また、特許請求の範囲で明示的な引用関係を有しない請求項を結合して実施例を構成したり、出願後の補正により新しい請求項として含めることができる。
本願明細書は、例えば、以下の項目も提供する。
（項目１）
基地局で２・Ｎ（Ｎは自然数）個の伝送アンテナを用いてダウンリンク信号を伝送する方法であって、
端末から第１及び第２のプリコーディング行列指示子（ＰＭＩ）を受信すること、
あらかじめ保存されたコードブックから、前記第１及び第２のＰＭＩの組み合わせにより指示されるプリコーディング行列を決定すること、
Ｒ（１≦Ｒ≦８）個のレイヤーマッピングされる前記ダウンリンク信号に、前記決定されたプリコーディング行列を用いてプリコーディングを行うこと、及び
前記プリコーディングされた信号を、前記２・Ｎ個の伝送アンテナを通じて前記端末に伝送すること、を含み、
前記あらかじめ保存されたコードブックは、Ｒが偶数の場合に、
【化５０】
2013526136.tif 000006
の形態で構成されたプリコーディング行列を含み、ここで、Ｗ１は、Ｎ×（Ｒ／２）サイズの行列であり、ａは、位相（ｐｈａｓｅ）に対する係数である、ダウンリンク信号伝送方法。
（項目２）
前記Ｗ１は、ＤＦＴ（Ｄｉｓｃｒｅｔｅ  Ｆｏｕｒｉｅｒ  Ｔｒａｎｓｆｏｒｍ）行列で構成される、項目１に記載のダウンリンク信号伝送方法。
（項目３）
Ｒが偶数の場合に、前記Ｗ１は［ｖ１…ｖ（Ｒ／２）］の行列で構成され、前記ｖ１…ｖ（Ｒ／２）のそれぞれは、Ｎ×１サイズの行列で構成される、項目１に記載のダウンリンク信号伝送方法。
（項目４）
前記ｖ１…ｖ（Ｒ／２）のそれぞれは、ＤＦＴ行列で構成される、項目３に記載のダウンリンク信号伝送方法。
（項目５）
Ｒ＝４の場合に、前記Ｗ１は、
【化５１】
2013526136.tif 000007
の形態で構成される、項目３に記載のダウンリンク信号伝送方法。
（項目６）
３≦Ｒ≦７の場合に、前記Ｒ個のレイヤーに対するプリコーディング行列は、
Ｒ＋１個のレイヤーに対するプリコーディング行列の列サブセット（ｃｏｌｕｍｎ  ｓｕｂｓｅｔ）で構成される、項目１に記載のダウンリンク信号伝送方法。
（項目７）
Ｎ＝４である、項目１に記載のダウンリンク信号伝送方法。
（項目８）
端末で２・Ｎ（Ｎは自然数）個の伝送アンテナを通じて伝送されるダウンリンク信号を処理する方法であって、
あらかじめ保存されたコードブックから選択されたプリコーディング行列を指示する第１及び第２のプリコーディング行列指示子（ＰＭＩ）を基地局に伝送すること、
Ｒ（１≦Ｒ≦８）個のレイヤーにマッピングされ、且つ前記第１及び第２のＰＭＩの組み合わせにより指示されたプリコーディング行列によってプリコーディングされて前記２・Ｎ個の伝送アンテナを通じて伝送された前記ダウンリンク信号を、前記基地局から受信すること、及び
前記プリコーディング行列を用いて前記ダウンリンク信号を処理すること、を含み、
前記あらかじめ保存されたコードブックは、Ｒが偶数の場合に、
【化５２】
2013526136.tif 000008
の形態で構成されたプリコーディング行列を含み、ここで、Ｗ１は、Ｎ×（Ｒ／２）サイズの行列であり、ａは、位相（ｐｈａｓｅ）に対する係数である、ダウンリンク信号処理方法。
（項目９）
前記Ｗ１は、ＤＦＴ（Ｄｉｓｃｒｅｔｅ  Ｆｏｕｒｉｅｒ  Ｔｒａｎｓｆｏｒｍ）行列で構成される、項目８に記載のダウンリンク信号処理方法。
（項目１０）
Ｒが偶数の場合に、前記Ｗ１は、［ｖ１…ｖ（Ｒ／２）］の行列で構成され、前記ｖ１…ｖ（Ｒ／２）のそれぞれは、Ｎ×１サイズの行列で構成される、項目８に記載のダウンリンク信号処理方法。
（項目１１）
前記ｖ１…ｖ（Ｒ／２）のそれぞれは、ＤＦＴ行列で構成される、項目１０に記載のダウンリンク信号処理方法。
（項目１２）
Ｒ＝４の場合に、前記Ｗ１は、
【化５３】
2013526136.tif 000009
の形態で構成される、項目１０に記載のダウンリンク信号処理方法。
（項目１３）
３≦Ｒ≦７の場合に、前記Ｒ個のレイヤーに対するプリコーディング行列は、
Ｒ＋１個のレイヤーに対するプリコーディング行列の列サブセット（ｃｏｌｕｍｎ  ｓｕｂｓｅｔ）で構成される、項目８に記載のダウンリンク信号処理方法。
（項目１４）
Ｎ＝４である、項目８に記載のダウンリンク信号処理方法。
（項目１５）
ダウンリンク信号を伝送する基地局であって、
２・Ｎ（Ｎは自然数）個の伝送アンテナと、
前記伝送アンテナを通じて端末に前記ダウンリンク信号を伝送する伝送モジュールと、
前記端末からアップリンク信号を受信する受信モジュールと、
プリコーディング行列を含むコードブックを保存するメモリーと、
前記基地局を制御するプロセッサと、を備え、
前記プロセッサは、
前記受信モジュールを介して、端末から第１及び第２のプリコーディング行列指示子（ＰＭＩ）を受信し、
前記メモリーに保存されたコードブックから、前記第１及び第２のＰＭＩの組み合わせにより指示されるプリコーディング行列を決定し、
前記ダウンリンク信号をＲ（１≦Ｒ≦８）個のレイヤーにマッピングさせ、
前記Ｒ個のレイヤーにマッピングされた前記ダウンリンク信号に、前記決定されたプリコーディング行列を用いてプリコーディングを行い、
前記伝送モジュールを介して、前記プリコーディングされた信号を前記２・Ｎ個の伝送アンテナを通じて前記端末に伝送するように構成され、
前記あらかじめ保存されたコードブックは、Ｒが偶数の場合に、
【化５４】
2013526136.tif 000010
の形態で構成されたプリコーディング行列を含み、ここで、Ｗ１は、Ｎ×（Ｒ／２）サイズの行列であり、ａは、位相（ｐｈａｓｅ）に対する係数である、ダウンリンク信号伝送基地局。
（項目１６）
２・Ｎ（Ｎは自然数）個の伝送アンテナを有する基地局から伝送されるダウンリンク信号を処理する端末であって、
前記基地局から前記ダウンリンク信号を受信する受信モジュールと、
前記基地局にアップリンク信号を伝送する伝送モジュールと、
プリコーディング行列を含むコードブックを保存するメモリーと、
前記端末を制御するプロセッサと、を備え、
前記プロセッサは、
前記メモリーに保存されたコードブックから選択されたプリコーディング行列を指示する第１及び第２のプリコーディング行列指示子（ＰＭＩ）を、前記伝送モジュールを介して、前記基地局に伝送し、
Ｒ（１≦Ｒ≦８）個のレイヤーにマッピングされ、且つ前記第１及び第２のＰＭＩの組み合わせにより指示されたプリコーディング行列によってプリコーディングされて前記２・Ｎ個の伝送アンテナを通じて伝送された前記ダウンリンク信号を、前記受信モジュールを介して、前記基地局から受信し、
前記プリコーディング行列を用いて前記ダウンリンク信号を処理するように構成され、
前記あらかじめ保存されたコードブックは、Ｒが偶数の場合に、
【化５５】
2013526136.tif 000011
の形態で構成されたプリコーディング行列を含み、ここで、Ｗ１は、Ｎ×（Ｒ／２）サイズの行列であり、ａは、位相（ｐｈａｓｅ）に対する係数である、ダウンリンク信号処理端末。
【手続補正３】
【補正対象書類名】図面
【補正対象項目名】図４５
【補正方法】変更
【補正の内容】
【図４５】
2013526136.tif 000012